(57)【要約】      （修正有）【課題】パネルの背面を目隠しするとともに、画面が浮遊するように演出できる表示装置を提供する。【解決手段】表示装置１における表示部４ａの下部に延設部９を設け、延設部９は台座３の表面に近接するように延設され、さらに延設部９を鏡のような反射部材で構成したことで、支柱や背面のリード線等を目隠しすると同時に、載置面が延設部９に映り込み、支持手段なして表示部が支持されるように見えることにより、画面が浮遊しているように見える表示装置とする。【選択図】図１
2010217212.tif 000002
【特許請求の範囲】
【請求項１】
表示部の下部に延設部を設け、当該延設部が反射材を含む構成であることを特徴とする表示装置。
【請求項２】
前記表示装置は、載置面に載置するための台座に前記表示部が支持されるように構成されていることを特徴とする請求項１記載の表示装置。
【請求項３】
前記延設部は、前記台座又は台座の一部を隠すように前記載置面へ下部端縁が延設されてなる請求項１又は２記載の表示装置。
【請求項４】
前記表示部は、平面状に形成された表示パネルであることを特徴とする１〜３のいずれかに記載の表示装置。
【請求項５】
前記表示装置は、放送信号を受信し、表示部に表示してなるテレビジョン受像機である請求項１〜４のいずれかに記載の表示装置。
【請求項６】
前記延設部は、高反射部材で構成される請求項１〜５の何れかに記載の表示装置。
【請求項７】
前記延設部は、金属膜又は高反射樹脂フィルムを設けたことを特徴とする請求項１〜６のいずれかに記載の表示装置。
【請求項８】
前記金属膜又は高反射樹脂フィルムは、前記延設部の前面部に設けたことを特徴とする請求項１〜７のいずれかに記載の表示装置。
【請求項９】
前記延設部は、前記表示部を覆うように設けられた枠体の下部に一体的に形成されたことを特徴とする請求項１〜８のいずれかに記載の表示装置。
【発明の詳細な説明】
【技術分野】
【０００１】
本発明は必要な情報を表示するための表示装置に関する。
【背景技術】
【０００２】
放送信号を受信し、それを表示するテレビジョン（ＴＶ）受像機の表示部を構成する表示装置としては、ＣＲＴ（ブラウン管）が、一般的に古くから用いられている。このＣＲＴ方式による表示装置は、テレビジョン受像機の表示に限らず、パーソナルコンピュータ、その他のモニタ表示等にも利用されている。
【０００３】
これに対し、最近では、ＣＲＴの代替品として液晶に代表される表示部を備えた表示装置が利用されるようになった。これは、表示部が平面で、全体がフラットパネル形状となっている。そのため、ＣＲＴよりも薄型化し、全体として大幅な小型化が可能となる。そのため、ＣＲＴに比べて、軽量で、設置面積も大幅に小さくり、広く利用されるようになってきた。また、消費電力の点でも大きく軽減され、環境にも非常に優しく、表示装置の主流になってきた。フラットパネル形状の表示部は、液晶だけでなく、プラズマディスプレイパネルが実用化されており、また有機ＥＬパネルも実用化されるいようになってきた。
【０００４】
平面パネル形状の表示部を有した表示装置は、一般的には載置台、床等の載置面上に台座を介して載置される。
【０００５】
台座は、それに立設された支柱（支持部材）に表示部が支持（保持）される構造が一般的である。そのため、表示部を視認するユーザ（使用者）側からは、載置台又は床上の載置面に載置された表示装置は、支柱で表示部が支えられている状態を表示画面と共に目視することになる。それと同時に、表示装置がＴＶであれば、電源コード、放送信号用のリード線（コード）、さらにＤＶＤ等の録画再生用の接続リード線（コード）、さらにはゲーム機や、その他の付属品を接続するための各種コードが、接続され同時に目視される。なお、ＴＶに限らず、パソコン用の表示モニタとして用いられる表示装置においても、パソコン本体との接続、電源コード、その他の接続コード等が存在し、それらが合わせて目視される。
【０００６】
以上のようなフラットパネル形状の表示部を備える表示装置は、ＣＲＴによる表示部を備えた表示装置よりも消費電力等の点で有利であったが、価格が高くなっている。しかし、最近では、量産化が行われ、低価格化し普及にも拍車がかかってきた。
【０００７】
また、フラットパネル形状の表示部を備える表示装置としては、映し出された情報（映像）を視認するといった本来の機能だけでなく、部屋の装飾品（アクセサリー）、インテリア品の一部として配置されるようになってきた。そのために、デザイン面でも優れた形状、形態が望まれるようになってきている。例えば、平面パネル形状の表示部を支持する台座や、表示部を支える支柱に工夫を凝らし、非常にスッキリとした見栄えのよい、意匠にも優れた表示装置が提供されるようになってきた。
【０００８】
しかしならが、表示装置本体とは別に、上述したように各種コードが煩雑に存在しているのを視認したのでは、部屋の装飾品、インテリア品として載置するには、その価値が台無しになる場合がある。また、大画面による映像を目視しているのに、煩雑に存在している各種コードが目に飛び込んでくれば、それに気を取られて、折角の大画面の映像を楽しめなくなる。
【０００９】
そこで、特許文献１（特開２００４−２７９５６２号公報）には、平面パネル形状の表示装置において、電源コードを含め各種接続用のコードが目視されるため、このコードが目視されないように配慮した技術が提案されている。これは、表示装置を床や載置台上に載置するための台座上に表示部（平面表示パネル）を支持する支柱である支持板（パネル）を透明板で構成し、その支持板に透明電極を複数形成している。この透明電極のそれぞれの一端側と、電源コードを含め各種コードがコネクタ等を介して台座部分で接続される。そして、平面表示パネル部とそれぞれの透明電極の各他端側とを電気的に接続するようにしている。
【００１０】
以上の構成により、電源コードを含む各種接続コードは、透明な支持板を介してフラットパネルの表示部に接続される形になるため、コード等が視認されないようにしている。そのため、透明な支持板を介して台座上に平面表示パネルが支持されている。その結果、リード線等の存在が視認されることなく、フラットパネル部分が浮いたように見えるといった演出を行えることが、特許文献１には記載されている。
【００１１】
また、参考のため特許文献２においても、表示画面（スクリー）が宙に浮いたような状態に見えるとのことが記載されている。これは、表示面の周囲に、背面を視認できる透明部分を形成している。これにより、表面画面が支持されることなく視認されるため、宙に浮いた状態に見えることが記載されている。
【先行技術文献】
【特許文献】
【００１２】
【特許文献１】特開２００４−２７９５６２号公報
【特許文献２】特開２００７−２３３４０２号公報
【発明の概要】
【発明が解決しようとする課題】
【００１３】
上述した特許文献１、２に記載された発明によれば、表示画面（スクリーン）又はフラットパネル（平面表示部）を浮いたように見せつるために、透明部材を駆使している。
【００１４】
そのため、表示画面上に映し出された映像（情報）を視認するだけでなく、その画面等が浮いた状態で目視されるとった演出を行っている。
【００１５】
しかし、表示部の背面側、つまり表示装置の背面が、支持部材等を介して透視されるため、その領域に他の物品が配置されていれば、その配置物が目に飛び込んでくる。あるいは、壁等がそのまま目視される。その壁が汚れていれば、その汚れが直接視認され、折角の演出が台無しになることもある。
【００１６】
また、部屋全体をスッキリと装飾、またインテリア品として利用するような場合、見せたくない不要な物品等を表示装置の背面に隠し、表示装置だけを目視させることはできない。
【００１７】
つまり、表示装置としては、大きくなる傾向にあるが、その表示装置の背面には色々と物品が存在することがあり、それを隠そうにも隠せない。それを隠そうとすれば、特許文献１においては、透明な支持板を目隠しのために光を透過しない非透過材で構成することになる。そのような非透過材で支持板を構成すれば、表示装置が浮いたように見えるといった演出を行えなくなる。つまり、特許文献１、２記載の表示部が浮くといった演出効果が台無しになり、その目的を達成できなくなる。
【００１８】
上記特許文献１、２等に記載の表示装置は、浮いたように見せる演出のためには、目隠しといった、概念および思想は全くなく、それを採用することはできない。つまり、透視できるといった技術思想により、その目的を達成するようにしている。従って、透視される背面に物品や、壁の汚れ等が存在すれば、その演出効果、目的を達成できなくなるため、設置場所等が限られる。つまり、表示装置を載置したい位置に設置できないといった載置制限が生じる。例えば、コンセント、ＴＶアンテナ端子、通信端子等が壁に設けられる場合、それを隠すように表示装置を載置できなくなる。
【００１９】
しかも、コンセント、ＴＶアンテナ端子、通信端子、その他の通信端子からは、それぞれリード線が配線されるが、それら全てを表示装置で、上述したように隠すことはできない。
【００２０】
さらに、表示装置の表示面が大画面になれば、当然表示装置も大きくなり、上述した演出を達成するためには、設置場所が限定され、支持部分を含む表示装置で壁面の一部を隠したい場合、それらを隠すようには設置できない。
【００２１】
以上、特許文献１、２に記載される表示部が浮くための演出を行わなければ、背面側を隠すといった目的で透明部分を非透明部材で構成すればよい。このような提案も幾つかなされている。しかも、画面が大型化すれば、それ以外の遮蔽を目的とする支持板等を含め表示部以外の部分も含めて表示装置全体が大きくなる。その結果、重量感、圧迫感が増し、それがそのまま、ユーザに伝わる。
【００２２】
そこで、大画面の表示装置を設置する部屋が、大きければまだよいが、小さい部屋で大画面の表示装置を設置すれば、大半が表示装置に占有され重量感、圧迫感がさらに強まり、ゆとりを持って大画面を視認することが望めない。また、圧迫感により表示装置の転倒等を感じ、余裕を持って画面を目視することができなくなる。
【００２３】
本発明は、以上のような問題点を解消する表示装置を提供することを第１の目的とする。
【００２４】
本発明は、画面が大型化しても差ほど重量感を感じることなく、開放感でもって画面を視認できる表示装置を提供することを目的とする。
【００２５】
また、本発明の目的は、表示装置の背面側を隠すことが可能な表示装置を提供することである。
【００２６】
また、本発明は、重量感だけでなく、圧迫感を感じさせないスッキリとした表示装置を提供することを他の目的としている。
【００２７】
さらに、本発明は、表示装置を装飾品、インテリアの一つとして部屋に配置しても遜色のない表示装置を提供することを目的としている。
【００２８】
さらに、本発明は、表示装置の背面を目隠ししても、表示装置本体が宙に浮遊しているように目視できる演出を可能にする表示装置を提供することを目的とする。
【００２９】
さらにまた、本発明は、表示装置の背面側に必要なもの、また不必要なものを載置しても、それを隠し、スッキリと、装飾効果、あるいはインテリア効果を高める表示装置を提供するものである。
【００３０】
以下に説明する本発明の表示装置は、床、又は載置台上に表示装置本体があたかも浮いた状態で視認できるようにしたもので、また表示装置の背面を目隠しできるように構成したものである。また、本発明は表示装置を載置することで、部屋全体の広がりを感じさせ、開放感でもって、画面を目視できるように表示装置を構成したものである。
【課題を解決するための手段】
【００３１】
本発明は、表示装置を構成する情報を表示してなる表示部の下部に、表示装置を載置する載置面へと延設された延設部を設ける。
【００３２】
この延設部は、前面、つまり表示画面側から背面を目視することができないように構成している。そのため、背面側を目隠しする構成である。
【００３３】
また延設部は、光を反射する部材を有する構造である。
【００３４】
反射される部材を有することで、延設部には、前面に位置する、例えば、床あるいは載置台等の載置面が映し出される構成となる。そのため、あたかも表示装置の背面側に床あるいは載置台がさらに奥に広がった状態で視認できる。また背面が延設部で目隠しされた状態であるため表示装置を支持するための支柱等も隠される構造となる。そのため、支柱等の存在が確認できないため、宙に浮遊した状態で表示装置が目視される。
【００３５】
これは、上記延設部が反射部材としての役割を担うことで達成される。
【００３６】
また、延設部は、表示装置背面側を透視できないようにすればよく、それを構成する部材としては特に限定されるものではない。反射するための部材としては、延設部の少なくとも表面側又は裏面側に反射部材を設ける。その反射部材は、延設部にコーティング、金属膜等をメッキ、蒸着等で形成することができる。
【００３７】
また、鏡のように反射させるものでなく、樹脂等を用いた高反射部材である樹脂フィルムを、延設部に貼付けたり、延設部そのものを高反射樹脂部材で構成することができる。
【００３８】
表示装置を構成する表示部としては、フラットパネル形状のものだけでなく、ＣＲＴ等を用いた表示部であってもよい。
【００３９】
さらに、表示部としては放送信号を受信し、それを表示するものだけでなく、パソコン等の表示装置であってもよく、様々な情報を表示するモニタとすることもできる。
【発明の効果】
【００４０】
以上説明した表示装置によれば、表示装置が支えなしで床、あるいは載置台等の載置面上に浮遊している状態で目視される。そのため、表示装置の画面が大型化しても重量感を感じるのを大きく軽減、抑制できる。また、同時に圧迫感も感じるのを軽減、抑制できる。
【００４１】
その反面、表示装置の背面側の部屋の広がり、奥行き等を感じることができ、開放感に浸ることのもできる。
【００４２】
また、表示装置は、画面に情報が表示されなくても、床、あるいは載置台上に浮いた状態で見えるため、表示機能としてだけでなく、装飾効果、インテリア効果も期待できる。よって、装飾品としての役割、インテリア品として役割も望め、利用価値が高まる。
【００４３】
さらに、目隠しといった効果も期待でき、不要なもの、必要なものが表示装置背面に置かれても見えずに、部屋全体をスッキリと視認することができ、開放感をさらに感じさせることも可能となる。
【００４４】
本発明の表示装置によれば、表示機能として利用した場合には、余計な物を視認させることなく、画面上の表示に没頭して視認することができる。そのため、大画面の表示を満喫して見ることができる。
【図面の簡単な説明】
【００４５】
【図１】本発明にかかる表示装置の一例を示す正面側から目視した斜視図。
【図２】本発明にかかる表示装置の一例を示す背面側から目視した斜視図。
【図３】本発明にかかる表示装置の側面図。
【図４】本発明の実施例を説明するための正面図。
【図５】本発明にかかる表示装置による例（Ａ）と、本発明の表示装置とは関係ない比較例（Ｂ）による対比を説明するための図である。
【発明を実施するための形態】
【００４６】
以下、図面を参照しながら本発明による実施の形態を説明する。
【００４７】
本発明の表示装置の一例を図１、図２に示す。図１は、表示装置の正面側（表示を目視する方向）から目視した斜視図、図２は表示装置の背面側から目視した斜視図である。また図３は、本発明の表示装置を側面から目視した側面図である。
【００４８】
本発明の表示装置は、図面に示すようにフラット形状のＦＰＤ（Ｆlat Ｐanel Ｄisplay）を用いたもので、一例として液晶表示パネルを例に説明する。本発明は、このようなＦＰＤによる表示パネルに限定されるものではなく、様々な形態のものが適用できる。例えば、ＣＲＴ方式を利用した表示装置であってもよい。また、ＦＰＤとして液晶表示パネルに限らず、プラズマディスプレイ、有機ＥＬディスプレイ等の表示パネルでも同様に実施できるのは勿論である。
【００４９】
まず、図１において、１は表示装置であって、この表示装置１は、床、又は載置台２に載置されている状態で示されている。表示装置１本体は、載置台２に載置されることに限ることはなく、部屋の床上に直接設置されることもある。
【００５０】
図に示すように、表示装置１本体を載置台２上に載置するために、表示装置１の下部に台座３が設けられている。この台座３は、例えば前面側が半円形に形成された前面部３Ａと、それに連結される背面側は、図２を見れば明白なとおり転倒防止を目的として比較的大きな矩形状に形成された後部３Ｂとで一体成形されている。例えば、前面部３Ａの円形部（半円形状）は、比較的コンパクト、つまり小さく形成されている。これに対し、台座３の表示装置１の背面側に対応する後部３Ｂは、上述したように転倒防止のためにも比較的大きめの矩形状に形成されている。これにより、表示装置１の支持を安定させ、転倒防止の効果を高めることができる。
【００５１】
上記台座３のほぼ中央、特に後部３Ｂ側には、図２、図３に示すように表示を行うためのＦＰＤである表示パネル４を支え、支持するための直方体形状の支柱（支持部材）５が立設されている。その支柱５の一端部に、表示パネル４が固定保持されている。これにより、表示装置１本体は、部屋の床、又は載置台２上に台座３を介して載置される。
【００５２】
表示パネル４は、従来より周知の構造であり、本発明には直接関係はしないが、簡単にその構造を説明する。表示パネル４は、液晶を封入し、表示を行うためのパネル本体を樹脂形成された外部キャビ（外装キャビネット）６内に内装している。外部キャビ６内には、そのほか液晶の表示パネル４に情報を表示させるための駆動制御基板等を含む各種回路基板等が設けられており、その他電源コードをはじめ、ＴＶの信号入力端子、出力端子、ビデオ入出力端子、その他の接続端子７類等、多数の接続端子と接続され、それらが外部に露出するように設けられている。これらの端子、及び電源コードは、上記回路基板に電気的に接続されている。
【００５３】
上記外部キャビ６は、前面側に、パネル本体の矩形領域（表示画面）４ａに対応する部分が開口されている。その開口部分に、パネル本体の表示画面が露出するように、パネル本体が外部キャビ６に位置付けられ、取り付けられている。例えば、外部キャビ６の前面側が欠如されており、その欠如部分に、パネル本体の表示画面４ａを保護するために、ガラス等の透明部材が嵌め込まれている。
【００５４】
したがって、表示パネル４本体は、外部キャビ６の前面側が透明ガラス等のガラス面で覆われることで、表示画面４ａがガラス面で保護されている。
【００５５】
上記表示パネル４の表示画面側には、本発明にかかる枠体８が固定されている。枠体８は、一例として表示画面４ａに対応した領域が欠如された形で刳り貫き形成されており、表示画面４ａの周囲を覆うようにして設けられている。あるいは、枠体８は、全面が一体物で形成されており、表示画面４ａに対応した部分が光が透過できる部材で構成されてもよい。
【００５６】
枠体８は、ガラス板等で構成できるが、アクリル、ポリカーボネイト等のプラスチック樹脂等で構成すればよい。また枠体８は、表示パネル４本体の表示画面４ａの周囲を覆うように構成している。そして、表示パネル４の下部側は、床又は載置台２側に延びるように延設部９が、枠体８に一体成形される形で延設されている。
【００５７】
通常、従来の表示装置によれば、図２、図３に示すような延設部９は、存在していない。そのため、表示パネル４の下部は、支柱５やリード線７等が目視される状態となっている。
【００５８】
本発明における延設部９は、少なくとも表示パネル４の下部の領域を、目隠しを目的とした遮蔽構造となるように構成されるものである。そのため、延設部９以外の枠体８については、透明、又は不透明であってもよい。見栄え、また製造上の観点から言えば、枠体８を延設部９と同様の部材で一体成形すれば、製造コスト等が安価になり、組み立て等も容易になる。
【００５９】
また、枠体８の下部の延設部９は、その下端縁が台座３近辺まで延設されており、床又は載置台２面に近付く状態まで延設される。さらに、その延設部９は、背面側を目視することができない光を反射する樹脂フィルムが反射材として貼付けられている。光を反射する反射材は、延設部９に設けることで、その部分が、鏡面構造となる。この構成により、前面側の載置台２の面、あるいは床面が、延設部９に映り込む。また、台座３の前面部３Ａである半円形部が映り、あたかも円形状、あるいは楕円形状の台座であるかのように見えてくる。そのため、台座３の後部３Ｂの大きな矩形部が延設部９で隠され、支持のための台座３が円形（又は楕円）状態で見える。
【００６０】
しかも、表示パネル４を支持する支柱５が延設部９で隠されるため、その支柱５部分の存在が視認できず、表示装置１全体が上記台座３上に浮いた状態で支えられているように見える。従って、表示装置１本体は、その表示パネル４を直接支えている支柱５で支持されていることが認識されずに、載置面、例えば床、又は載置台２上に浮遊しているかのように見え、また円形（又は楕円）の台座３上に浮遊してように見える。
【００６１】
さらに、見る方向を変えると、台座３の形状が変化し、その変化していく情景で台座３上に浮かんだ状態で表示装置１が視認される。そのため、表示装置１が大画面で、表示装置全体が延設部９を含めて大きくなっても、重圧感が和らげられ、圧迫感も大幅に軽減される効果も期待できる。しかも、床あるいは載置台２が延設部９に映り込むことで、表示装置１より背面側にさらなる空間が存在するように見え、部屋の広がりを感じ、開放感さえ覚えることにもなる。
【００６２】
従って、部屋全体が広く感じることがある。また大画面の表示装置１を部屋の任意の位置に載置しても、違和感なく、スッキリとした状態で画面を目視できる。また、画面が表示されていなくても、表示装置１がスッキリと目視でき、また浮遊状態を視認することで、部屋の装飾品としても楽しめ、装飾効果、インテリアとしての効果も期待できる。そのため、表示機能としての利用価値だけでなく、部屋のインテリア、装飾としての他の機能、役割を果たす結果にもなる。
【００６３】
以上のように、延設部９の領域については、その部分から背面を視認することができず、遮蔽された形態となる。そのため、延設部９を含め、枠体８を透明部材で形成したとしても、上述したように延設部９に反射材を設けることで、該延設部９は、遮蔽部材としての機能も担うことにもなる。
【００６４】
また、表示装置１の背面側が見えないため、表示装置１本体に接続される電源コードや各種リード線７等が煩雑であっても、その状態を全く視認できず、それを感じることもなくなる。しかも、背面の部屋の壁面が汚れていたとしても、表示装置１でそれを隠すことができる。
【００６５】
また表示パネル４の表示画面４ａを水槽、あるは水中、また森、滝等の状況を写し出すことで、背面の壁等が隠される、大画面の特徴を生かして、部屋の住居空間で外部に移住しているかのような感覚をも作り出すことができ、広々とした空間を楽しめ、開放感等をさらに満喫できる。
【００６６】
ここで、枠体８である下部の遮蔽領域となる延設部９については、少なくとも反射面状態になるように構成しているが、その他、表示パネル４の上下部及び両側も同様にして反射面状態で構成するようにしてもよい。
【００６７】
（台座の形状）
表示装置１を床又は載置台２上に載置するための台座３については、以上説明した実施の形態によれば、前面部（表示画面側）３Ａを半円形状、後部（表示画面の背面側）３Ｂを矩形形状としているが、これに限ることはない。つまり、前面部３Ａの形状としては任意の形状であればよく、延設部９より前面に位置する部分を単数、又は複数、さらにそれらの形状をデザイン等を考慮して任意の形状に形成すればよい。
【００６８】
延設部９よりも前面に位置する台座３の前面部３Ａを複数に形成すれば、それが延設部９に写し出されることで、複数の台座３上に表示装置１全体が浮遊するように目視されることにもなり、違った感覚を与える。そのため、その形状等を工夫することで、装飾品、インテリア品としての利用する価値観等が変えられる。
【００６９】
また、台座３の後部３Ｂについては、表示装置１を支持する際に、安定して支持することを目的として画面の大きさに応じてその大きさが決められることになる。その大きさにおいては、できれば表示装置１の横方向（水平方向）の表示装置１の幅以内に納まる大きさに形成すればよい。また、その形状についても、矩形だけでなく、楕円、半円、円、その他の形状で形成すればよい。
【００７０】
また、台座３に設けられる表示パネル４本体を支持するための支柱（支持部材）５が、ない状態で表示パネル４の外部キャビ６が直接、台座３等に取り付けられる構成とする場合もある。このような場合においもて、台座３に外部キャビ６が直接取り付けられる部分を延設部９で隠すようにすればよいことである。
【００７１】
以上のように、台座３を任意の形状、また複数個で形成することで、台座の形状を任意の形状、個数でもって、表示装置１の浮遊状態を楽しめ、任意の演出を可能にできる。
【００７２】
なお、本発明においては、台座３の前面部３Ａが延設部９よりも前側に位置する形態を説明した。これに限らず、台座３全体が延設部９よりも後部に位置するように形成してもよいことは勿論である。
【００７３】
つまり、台座３を含め支柱５も延設部９で隠されるようにする。このように構成すれば、台座３の存在も目視できず、延設部９に直接床又は、載置台２の載置面が映り込む。その結果、表示装置１本体は、支持される構造が目視されることなく、床又は載置台２上に浮遊した状態で目視される。そのため、表示装置１本体が浮遊しているイリュージョン的な演出も期待でき、また装飾品、またインテリア品としての利用価値も高まる。
【００７４】
さらに、先に説明したように床等の載置面が映し出されることで、表示装置１より背面側への床面等の広がりを認識でき、部屋全体、空間の広がりを演出でき、開放感を与えることにもなる。
【００７５】
（延設部の構造）
延設部９は、表示部（表示パネル）４の下部に、その下端縁が床又は載置台２面側に延設するように形成している。特に、台座３の一部が延設部よりも前面に突出されるような場合には、延設部９の下端縁は、台座３表面に近接するように延設されている。また、台座３が延設部９より全て後部に位置する場合には、延設部９の端縁（端面）は、床又は載置台２面に近接するように延設されている。
【００７６】
ここで、延設部９は、反射材を設けて背面側を透視できないように構成することを説明したが、延設部９自身を反射材で構成するようにしてもよい。反射材としては、鏡そのものでもでもよく、それが延設部９として表示パネル４の下部に設けられる。
【００７７】
また、延設部９の表面（表示画面側）又は背面（表示画面の背面側）に、金属膜等を蒸着又はメッキ等で被覆形成するようにしてもよい。延設部９の表面側に金属膜を被覆形成する場合には、延設部９自身が透明部材、非透明部材で構成されていてもよい。しかし、延設部９の背面側に金属膜を被覆形成するような場合には、延設部９は、透明部材で構成される。つまり、反射材を延設部９の表面側又は背面（裏面）側に設ける場合、上述したように延設部９を構成する部材を選択すればよい。
【００７８】
また、延設部９の表面又は背面に、反射材として高反射部材、例えば高反射樹脂フィルムを貼付けてもよい。この高反射樹脂フィルムとしては、金属光沢調・易成形フィルムとして東レ（株）より発売されているピカサス（ＰＩＫＡＳＡＳＵ：商標名）等を利用できる。また、これに限らずに、高反射樹脂フィルムを貼り付けることもできる。
【００７９】
なお、延設部９として厚みがあるものを利用すると、背面に反射材である金属膜を蒸着、メッキ、塗装等を行うと、厚さ方向の影が映し出されることがある。このような場合には、金属膜等の反射材を延設部９の前面（表面）に設けるようにする。これにより、厚み方向による影響を解消できる。これは、上述した高反射樹脂フィルムを貼付ける場合においても同様である。
【００８０】
なお、延設部９そのものを金属で構成し、その表面を鏡面加工することでも同様に実施可能である。
【００８１】
延設部９は、先の実施形態によれば、枠体８に一体的に形成された構成として説明した。しかし、枠体８に一体化するのではなく、直接表示パネル４の下部に延設部９だけを延設するように構成してもよいことは勿論である。
【００８２】
また、表示パネル４を構成する外部キャビ６の表示画面４ａ側の下部を、台座３側に延設するように構成する。その外部キャビ６の延設部に反射材を設けることでも同様に実施できる。このようにすれば、枠体８を設ける必要がなくなる。
【００８３】
（本発明による他の実施の形態）
以上説明したように、本発明における延設部９を設けることで、載置台２に載置された表示装置１は、支持状態が視認されることなく、台座３、あるいは載置台２上に浮遊しているように目視される。
【００８４】
そこで、延設部９の背面側については、支柱５、またリード線７等を除き、なにも存在しない形態を説明した。その延設部９の背面側に表示装置１に関わる部材を設けることができる。
【００８５】
表示装置１がＴＶ受像機である場合、音声出力手段、例えばスピーカを、延設部９に設けることができる。受像機でなく、ゲーム機、パソコンの表示として利用する場合であっても、音声出力するための手段を延設部に設けることができる。このスピーカは、延設部９の背面（裏面）に取付けることで、前面（表示面側）からは、目視できず、その存在をユーザは確認、目視できない。
【００８６】
そのため、ユーザは、スピーカの存在を目視、認識できず、存在のない部分（載置面等が映し出された領域）から音が聞こえてくるかのような感覚をとらわれ、非常に興味を注ぐことにもなる。
【００８７】
また、スピーカそのものを、表示装置１の表示パネル４側に設ける必要がなくなるため、表示パネル４側の本来スピーカ配置スペースを、他の用途に活用させることができる。また、そのスペースを削除することで表示装置１をよりコンパクト、あるいはより薄型化を図れる要因を作り出すことも可能となる。このように音声出力手段であるスピーカだけでなく、スピーカを駆動するための駆動回路（アンプ等を含む）をも延設部９に設けることもできる。
【００８８】
さらにスピーカだけでなく、ＴＶや、ゲーム機として利用する場合には、リモートコントロールのための受信装置を延設部９に設けることもできる。
【００８９】
（実施例）
本発明の表示装置の実施例を以下に図面と共に説明する。
【００９０】
図４には、図１で説明した表示装置１を、床１０に直接載置した状態を示している。表示装置１を構成するＦＰＤとしては、液晶パネルを用いた。表示装置１本体は、幅（水平方向の幅）が１１２３．５ｍｍ、延設部９を含めた高さ７０８．８ｍｍ、表示画面４ａの大きさ、幅１０３０．０ｍｍ、高さ５７６．０ｍｍ。また、台座３の前面部３Ａの半円部の直径を２８５．０ｍｍにした表示装置１を製作した。
【００９１】
延設部９には、表面側に金属光沢調・易成形フィルムとして東レ（株）より発売されているピカサス（ＰＩＫＡＳＡＳＵ：商標名）の樹脂フィルムを貼付けた。
【００９２】
以上のように構成した表示装置１を、床１０に載置した状態を図４に示した。延設部９には、床１０の載置面と共に、台座３の前面部３Ａに対応する部分３０が映し出され、支柱部分、またリード線等を視認することができない。床面が映し出されたことで、表示装置１全体が、床１０の載置面、台座３上に浮き上がったように目視できた。また、前面側の床面が延設部９に映し出されたことで、背面奥側の広がりを感じることができた。
【００９３】
ここで、本発明による表示装置１と、本発明の表示装置１に対し延設部９を透明部材１１で構成した比較例として対比するために図５に、その対比例を示す。図５の（Ａ）は、本発明による表示装置１を、（Ｂ）には、比較例による表示装置を示している。
【００９４】
この図５を参照すれば分かるように、本発明の表示装置１によれば、延設部９には、載置面及び台座３の前面部３Ａが映り込み（３０）、表示装置１の表示パネル４本体が浮いた状態で目視される。これに対し、比較例（Ｂ）の延設部に対応する部分である透明部材１１の背面側が全て目視、つまり支柱５、台座３の後部３Ｂが直接目視される。そのため、表示装置本体が支柱５で支持され、載置面上に浮遊した状態を視認することはできなかった。
【００９５】
以上説明したように、本発明の表示装置１によれば、上述したように床１０上に浮遊した状態を視認すことができ、先に説明したような種々の作用効果を奏することも確認できた。
【００９６】
なお、表示装置１の表示パネル４としては、ＦＰＤだけでなく、ＣＲＴを利用したものであっても同様に実施、実現できることは勿論であり、表示装置をして利用するもの全般に利用可能である。
【符号の説明】
【００９７】
１    表示装置
２    載置台
３    台座
４    表示パネル（表示部）
５    支持板
７    枠体
８    枠体
９    延設部
１０    床
【図１】
2010217212.tif 000003
【図２】
2010217212.tif 000004
【図３】
2010217212.tif 000005
【図４】
2010217212.tif 000006
【図５】
2010217212.tif 000007